(57)【要約】【課題】船舶や湾岸などのレーダ装置に用いられるのに特に適した構造が簡単で軽量のアンテナ装置の提供。【解決手段】アンテナ装置には、スロットを有する給電導波管に接続されたモード変換器にホーン部を接続し、ホーン部前部にアンテナ装置内への異物の侵入を防ぐ閉塞板を配置し、多数のスリットを有する導電性板部材により構成された交差偏波抑圧素子を、この閉塞板上に直接設けてある。交差偏波抑圧素子の導電性板部材は、閉塞板の内側表面に設けられた導電材料層であり、スリットは導電材料層を部分的にエッチングにより除去して形成したものである。閉塞板はホーン部の前面開口部に設けても、モード変換器とホーン部との間の連結部に設けても良いし、給電導波管、モード変換器およびホーン部を囲むレドーム上に設けることもできる。【発明の効果】船舶や湾岸などのレーダ装置に用いられるのに特に適した構造が簡単で軽量のアンテナ装置を提供できる。【選択図】図１
2005236914.tif 000002
【特許請求の範囲】
【請求項１】
スロットを有する給電導波管と、
上記給電導波管の上記スロットに接続されたモード変換器と、
上記モード変換器に接続されたホーン部と、
上記ホーン部に関連して設けられて上記モード変換器内への異物の侵入を防ぐ閉塞板と、
上記閉塞板上に直接設けられて、多数のスリットを有する導電性板部材により構成された交差偏波抑圧素子とを備えたアンテナ装置に於いて、
上記交差偏波抑圧素子の上記導電性板部材は、上記閉塞板の表面に設けられた導電材料層であり、上記スリットは上記導電材料層を部分的にエッチングにより除去して形成されたものであることを特徴とするアンテナ装置。
【請求項２】
上記交差偏波抑圧素子は上記モード変換器に面した上記閉塞板の内側表面上に設けられていることを特徴とする請求項１に記載のアンテナ装置。
【請求項３】
上記閉塞板は上記ホーン部の前面開口部に設けられていることを特徴とする請求項１あるいは２に記載のアンテナ装置。
【請求項４】
上記閉塞板は上記モード変換器と上記ホーン部との間の連結部に設けられていることを特徴とする請求項１あるいは２に記載のアンテナ装置。
【請求項５】
上記閉塞板は、上記給電導波管、上記モード変換器および上記ホーン部を囲むレドーム上に設けられていることを特徴とする請求項１あるいは２に記載のアンテナ装置。
【発明の詳細な説明】
【技術分野】
【０００１】
この発明は船舶や湾岸などのレーダ装置に用いられるのに特に適したアンテナ装置に関するものである。
【背景技術】
【０００２】
この発明の関連するアンテナ装置としては導波管スロットアンテナが多く用いられており、そのようなアンテナ装置の一例は、例えば特許文献１に記載されている。このスロットアンテナは、スロットを有する給電導波管と、給電導波管のスロットに接続されたホーン部と、ホーン部の前面開口部に設けられてホーン部内への雨水等の異物の侵入を防ぐエポキシガラス板とを備えている。このアンテナ装置にはモード変換器も交差偏波成分抑制装置も設けられていない。
【０００３】
特許文献２には、直線偏波アンテナ輻射部の開口部に設ける円偏波発生用の金属格子の傾斜角度を可変したアンテナ装置が記載されており、このアンテナ装置に於いてはホーン開口部に偏波素子とレドームとを取り付けた構造が採用されている。しかしながら偏波素子とレドームとは別個の部品であり、可動式の格子は構造を極めて複雑にし重量を大きくしている。
【０００４】
特許文献３には、絶縁基板をレドームとし、この絶縁基板上に平面アンテナ素子を形成するスロットを持つ金属泊を貼ってレドーム付き電波放射部を構成することが記載されているが、偏波抑制手段は開示されていない。
【０００５】
【特許文献１】特開昭４７−２４７４０号公報、図３
【特許文献２】特開２００１−２５１１３３号公報
【特許文献３】特開平１１−３０８０４０号公報、図１
【発明の開示】
【発明が解決しようとする課題】
【０００６】
このような従来のアンテナ装置に於いては、それぞれの構造型式によって製作や組立が困難であったりする特有の長所と短所とがあり、特に船舶や湾岸などの民需用レーダ装置に搭載するアンテナを実現させる上ではコストおよび重量の点で改善が望まれていた。
【０００７】
従ってこの発明の目的は、船舶や湾岸などのレーダ装置に用いられるのに特に適した構造が簡単で軽量のアンテナ装置を提供することである。
【課題を解決するための手段】
【０００８】
従って、この発明のアンテナ装置は、スロットを有する給電導波管と、上記給電導波管の上記スロットに接続されたモード変換器と、上記モード変換器に接続されたホーン部と、上記ホーン部に関連して設けられて上記モード変換器内への異物の侵入を防ぐ閉塞板と、上記閉塞板上に直接設けられて、多数のスリットを有する導電性板部材により構成された交差偏波抑圧素子とを備えたアンテナ装置であって、上記交差偏波抑圧素子の上記導電性板部材は、上記閉塞板の表面に設けられた導電材料層であり、上記スリットは上記導電材料層を部分的にエッチングにより除去して形成されたものである。
【発明の効果】
【０００９】
この発明によれば、船舶や湾岸などのレーダ装置に用いるのに特に適した、構造が簡単で軽量のアンテナ装置を得ることができる。
【発明を実施するための最良の形態】
【００１０】
実施の形態１．
図１はこの発明のアンテナ装置の第１の実施形態を前面側から見た概略斜視図であり、図２は背面側から見た概略斜視図である。この発明のアンテナ装置１は、電波を放射する多数のスロット２を有する給電導波管３と、スロット２からの電波のモードを変換するためにスロット２に面するように給電導波管３に接続されたモード変換器４と、モード変換器４に接続されて電波に垂直面内で必要な指向性を与えるためのホーン部５とを備えている。
【００１１】
給電導波管３から入力された電波は、スロット２から放射されるが、本来必要な導波管の管軸方向の電界成分以外に、放射軸方向の電界成分も、管軸方向および放射軸方向の両方向に直交する方向の電界成分をも含んでいる。給電導波管３はほぼ直方体の長い箱形部材であって、一側壁に箱形の長軸に対して傾斜した多数のスロット２が形成されている。スロット２は図には一つしか描かれていないが、給電導波管３のほぼ全長に亘ってほぼ等間隔に配置されている。
【００１２】
モード変換器４は、スロット２から供給された電波の放射軸方向の電界成分を減衰させて伝送されるモードがＴＥモードとなるようにするものであり、例えば誘電体（図示してない）等が充填されたほぼ直方体の箱形構造である。モード変換器４の一側壁は給電導波管３の一部を受け入れて給電導波管３に連結されていて、スロット２がモード変換器４の内部に開くようにしてあり、モード変換器４の対向側壁は開放されていて電波の出力開口６となっている。
【００１３】
ホーン部５は、モード変換器４の出力開口６に連結された入口開口７と、この入口開口７よりも大きい出口開口８とを持つテーパーしたほぼ矩形のフード状の構造体であり、電波に所望の指向性を与えるためのものである。
【００１４】
ホーン部５の出口開口８は、モード変換器４あるいはホーン部５等のアンテナ装置１内への雨水氷雪等の異物の侵入を防ぐために閉塞板９によって閉塞されている。閉塞板９は、例えばエポキシ樹脂等の電波に対して透過性の材料でできた板状体であって、通常レドームと呼ばれている。図示の例では、閉塞板９はホーン部５の出口開口８に連結されて設けられているので、ホーン部５の前面開口部に配置されて設けられているとも言える。
【００１５】
本発明のアンテナ装置１は更に、閉塞板９上に直接設けられて、多数のスリット１０を有する導電性板部材１１により構成された交差偏波抑圧素子１２を備えている。交差偏波抑圧素子１２は、スリット１０と同じ方向の垂直の電界成分を遮断する機能を持つものである。導電性板部材１１は、閉塞板９の表面に蒸着等により形成された導電材料層をエッチングにより部分的に除去して多数の平行なスリットを形成したものである。交差偏波抑圧素子１２は、樹脂の閉塞板９の内側表面即ちモード変換器４あるいは給電導波管３のスロット２に面した表面上に設けられていて、薄い導電性の金属箔が外部環境に曝されないようにしてある。
【００１６】
実施の形態２．
図３に示すアンテナ装置１５に於いては、交差偏波抑圧素子１６が一体に形成されている閉塞板１７が、モード変換器４とホーン部５との間の連結部１８に設けられていて、ホーン部５の出口開口８に設けられてはいないことが図１および図２に示すアンテナ装置１と相違している。その他の構成は同じであって、交差偏波抑圧素子１６自体は図１および図２に示す交差偏波抑圧素子１２と同じ構造である。
【００１７】
このアンテナ装置１５に於いては、給電導波管３のスロット２から放射された電波は、モード変換器４でモード変換された後、閉塞板１７上の交差偏波抑圧素子１６によって垂直方向の電界成分を遮断され、ホーン部５によって指向性を与えられ、目標に向かって放射される。
【００１８】
実施の形態３．
図４に示すアンテナ装置２０に於いては、交差偏波抑圧素子２１が一体に形成されている閉塞板２２が、給電導波管３、モード変換器４およびホーン部５の全体を囲む箱形のレドーム２３上に設けられており、ホーン部５の出口開口８に取り付けられたものでないことが図１および図２に示すアンテナ装置１と相違している。給電導波管３、モード変換器４およびホーン部５の構成は同じである。レドーム２３はドーム形あるいは球形でも良いが、ホーン部５の出口開口８に対面したレドーム壁面部分２４（図４に破線で示した部分）の内側表面に、蒸着とエッチングにより形成された交差偏波抑圧素子２１が設けられている。交差偏波抑圧素子２１自体は図１および図２に示す交差偏波抑圧素子１２と同じ構造である。閉塞板２２は、レドーム壁面部分２４そのものでなく、この部分に接着剤等の適当な固定手段によって取り付けられた別部品としてもよい。
【００１９】
このアンテナ装置１５に於いては、給電導波管３のスロット２から放射された電波は、モード変換器４でモード変換された後、ホーン部５によって指向性を与えられてホーン部５から目標に向かって放射され、閉塞板２２であるレドーム２３を透過する際にレドーム２３上の交差偏波抑圧素子２１によって垂直方向の電界成分を遮断されるのである。
【図面の簡単な説明】
【００２０】
【図１】この発明のアンテナ装置の第１の実施の形態を示す前面側から見た概略斜視図である。
【図２】図１のアンテナ装置の背面側から見た概略斜視図である。
【図３】この発明のアンテナ装置の第２の実施の形態を示す前面側から見た概略斜視図である。
【図４】この発明のアンテナ装置の第３の実施の形態を示す前面側から見た概略斜視図である。
【符号の説明】
【００２１】
１    アンテナ装置、  ２    スロット、  ３    給電導波管、  ４    モード変換器、  ５    ホーン部、  ９、１７、２４    閉塞板、  １０    スリット、  １１    導電性板部材、  １２、１６、２１    交差偏波抑圧素子、  ８    前面開口部、  １８    連結部、  ２３    レドーム。
【図１】
2005236914.tif 000003
【図２】
2005236914.tif 000004
【図３】
2005236914.tif 000005
【図４】
2005236914.tif 000006